(57)【要約】【課題】複数の変圧器を並列接続して負荷に接続する場合、変圧器の無負荷損を小さくすることができる電力供給装置を提供すること。【解決手段】変圧器４，５が並列接続される。変圧器４の１次側には接触器Ｃ１１が接続され、変圧器４の２次側には接触器Ｃ１２が接続される。変圧器５の１次側には接触器Ｃ２１が接続され、変圧器５の２次側には接触器Ｃ２２が接続される。制御部１０は、予測電力量が所定値以下の場合、接触器Ｃ１１，Ｃ１２を閉にするとともに接触器Ｃ２１，Ｃ２２を開にして変圧器５を解列し、予測電力量が所定値を超える場合、接触器Ｃ１１，Ｃ１２を閉にするとともに接触器Ｃ２１，Ｃ２２を閉にして変圧器５を投入する開閉制御を行う。【選択図】図１
2018170816.tif 000002
【特許請求の範囲】
【請求項１】
電源に接続され負荷に電圧変換した電力を供給する第１の変圧器と、
前記電源接続され、かつ、前記第１の変圧器に並列接続されて前記負荷に電圧変換した電力を供給する第２の変圧器と、
前記第１の変圧器の１次側に接続された第１の１次側接触器と、
前記第１の変圧器の２次側に接続された第１の２次側接触器と、
前記第２の変圧器の１次側に接続された第２の１次側接触器と、
前記第２の変圧器の２次側に接続された第２の２次側接触器と、
予測電力量が所定値以下の場合、前記第１の１次側接触器及び前記第１の２次側接触器を閉にするとともに前記第２の１次側接触器及び前記第２の２次側接触器を開にして前記第２の変圧器を解列し、予測電力量が所定値を超える場合、前記第１の１次側接触器及び前記第１の２次側接触器を閉にするとともに前記第２の１次側接触器及び前記第２の２次側接触器を閉にして前記第２の変圧器を投入する開閉制御を行う制御部と、
を備えたことを特徴とする電力供給装置。
【請求項２】
電源に接続され負荷に電圧変換した電力を供給する第１の変圧器と、
前記電源接続され、かつ、前記第１の変圧器に並列接続されて前記負荷に電圧変換した電力を供給する第２の変圧器と、
前記第１の変圧器の１次側に接続された開閉器と、
前記第２の変圧器の１次側に接続された１次側接触器と、
前記第２の変圧器の２次側に接続された２次側接触器と、
前記開閉器を閉じた状態で、予測電力量が所定値以下の場合、前記２次側接触器を開にして前記第２の変圧器を解列し、予測電力量が所定値を超える場合、前記２次側接触器を閉にして前記第２の変圧器を投入する開閉制御を行う制御部と、
を備えたことを特徴とする電力供給装置。
【請求項３】
前記制御部は、所定期間内で前記第２の変圧器を投入する投入回数が所定回数以上の場合、その後、前記所定期間終了まで前記第２の変圧器を投入状態にすることを特徴とする請求項１または２に記載の電力供給装置。
【請求項４】
前記制御部は、前記第１の変圧器または前記第２の変圧器の投入時に積算運転時間が短い前記第１の変圧器または前記第２の変圧器を選択して投入し、前記第１の変圧器または前記第２の変圧器の解列時に積算運転時間が長い前記第１の変圧器または前記第２の変圧器を選択して解列することを特徴とする請求項１または３に記載の電力供給装置。
【請求項５】
前記制御部は、前記第２の変圧器が複数である場合、前記第２の変圧器の投入時に積算運転時間が短い前記第２の変圧器を選択して投入し、前記第２の変圧器の解列時に積算運転時間が長い前記第２の変圧器を選択して解列することを特徴とする請求項２または３に記載の電力供給装置。
【請求項６】
前記予測電力量は、気象データを含む過去の実績に基づいた所定区分時間毎の予測平均値であることを特徴とする請求項１〜５のいずれか一つに記載の電力供給装置。
【発明の詳細な説明】
【技術分野】
【０００１】
本発明は、複数の変圧器を並列接続して負荷に接続する場合、変圧器の無負荷損を小さくすることができる電力供給装置に関する。
【背景技術】
【０００２】
ビルや工場などに設置される変圧器は通年を通して最大需要電力が供給可能な容量をもつように選定されている。そして、変圧器は、電力会社や建築物の制約条件によって複数台設置されることが一般的である。
【０００３】
なお、特許文献１には、少なくとも並列配置された複数台の変圧器に流れる各負荷電流の移動平均値を用いたファジィ推論を導入して変圧器運転台数を制御するものが記載されている。
【先行技術文献】
【特許文献】
【０００４】
【特許文献１】特開平５−３００６５９号公報
【発明の概要】
【発明が解決しようとする課題】
【０００５】
ところで、ＺＥＢ（Zero Energy Building）実現には、変圧器の損失を小さくすることも重要となるが、特許文献１に記載された変圧器運転台数制御では、各変圧器の１次側の遮断器は閉状態のままであり、各変圧器には、無負荷損が常に生じている。
【０００６】
本発明は、上記に鑑みてなされたものであって、複数の変圧器を並列接続して負荷に接続する場合、変圧器の無負荷損を小さくすることができる電力供給装置を提供することを目的とする。
【課題を解決するための手段】
【０００７】
上述した課題を解決し、目的を達成するために、本発明にかかる電力供給装置は、電源に接続され負荷に電圧変換した電力を供給する第１の変圧器と、前記電源接続され、かつ、前記第１の変圧器に並列接続されて前記負荷に電圧変換した電力を供給する第２の変圧器と、前記第１の変圧器の１次側に接続された第１の１次側接触器と、前記第１の変圧器の２次側に接続された第１の２次側接触器と、前記第２の変圧器の１次側に接続された第２の１次側接触器と、前記第２の変圧器の２次側に接続された第２の２次側接触器と、予測電力量が所定値以下の場合、前記第１の１次側接触器及び前記第１の２次側接触器を閉にするとともに前記第２の１次側接触器及び前記第２の２次側接触器を開にして前記第２の変圧器を解列し、予測電力量が所定値を超える場合、前記第１の１次側接触器及び前記第１の２次側接触器を閉にするとともに前記第２の１次側接触器及び前記第２の２次側接触器を閉にして前記第２の変圧器を投入する開閉制御を行う制御部と、を備えたことを特徴とする。
【０００８】
また、本発明にかかる電力供給装置は、電源に接続され負荷に電圧変換した電力を供給する第１の変圧器と、前記電源接続され、かつ、前記第１の変圧器に並列接続されて前記負荷に電圧変換した電力を供給する第２の変圧器と、前記第１の変圧器の１次側に接続された開閉器と、前記第２の変圧器の１次側に接続された１次側接触器と、前記第２の変圧器の２次側に接続された２次側接触器と、前記開閉器を閉じた状態で、予測電力量が所定値以下の場合、前記２次側接触器を開にして前記第２の変圧器を解列し、予測電力量が所定値を超える場合、前記２次側接触器を閉にして前記第２の変圧器を投入する開閉制御を行う制御部と、を備えたことを特徴とする。
【０００９】
また、本発明にかかる電力供給装置は、上記の発明において、前記制御部は、所定期間内で前記第２の変圧器を投入する投入回数が所定回数以上の場合、その後、前記所定期間終了まで前記第２の変圧器を投入状態にすることを特徴とする。
【００１０】
また、本発明にかかる電力供給装置は、上記の発明において、前記制御部は、前記第１の変圧器または前記第２の変圧器の投入時に積算運転時間が短い前記第１の変圧器または前記第２の変圧器を選択して投入し、前記第１の変圧器または前記第２の変圧器の解列時に積算運転時間が長い前記第１の変圧器または前記第２の変圧器を選択して解列することを特徴とする。
【００１１】
また、本発明にかかる電力供給装置は、上記の発明において、前記制御部は、前記第２の変圧器が複数である場合、前記第２の変圧器の投入時に積算運転時間が短い前記第２の変圧器を選択して投入し、前記第２の変圧器の解列時に積算運転時間が長い前記第２の変圧器を選択して解列することを特徴とする。
【００１２】
また、本発明にかかる電力供給装置は、上記の発明において、前記予測電力量は、気象データを含む過去の実績に基づいた所定区分時間毎の予測平均値であることを特徴とする。
【発明の効果】
【００１３】
本発明によれば、複数の変圧器を並列接続して負荷に接続して、変圧器の台数制御を行う場合、解列される変圧器の１次側接触器を開にしているので、複数の変圧器の無負荷損を小さくすることができる。
【図面の簡単な説明】
【００１４】
【図１】図１は、本発明の実施の形態１である電力供給装置の構成を示すブロック図である。
【図２】図２は、図１に示した制御部による変圧器台数制御処理手順を示すフローチャートである。
【図３】図３は、図１に示した制御部による変圧器台数制御の一例を示す図である。
【図４】図４は、本発明の実施の形態２の電力供給装置の制御部による変圧器台数制御処理手順を示すフローチャートである。
【図５】図５は、本発明の実施の形態３の電力供給装置の制御部による変圧器台数制御処理手順を示すフローチャートである。
【図６】図６は、本発明の実施の形態４である電力供給装置の構成を示すブロック図である。
【発明を実施するための形態】
【００１５】
以下、添付図面を参照して本発明を実施するための形態について説明する。
【００１６】
（実施の形態１）
図１は、本発明の実施の形態１である電力供給装置１の構成を示すブロック図である。図１に示すように、電力供給装置１は、電源２から電力線３を介して供給される電力を並列接続された２つの変圧器４，５を介して負荷６に供給する。変圧器４の１次側及び２次側にはそれぞれ電磁接触器である接触器Ｃ１１，Ｃ１２が接続される。変圧器５の１次側及び２次側にはそれぞれ電磁接触器である接触器Ｃ２１，Ｃ２２が接続される。変圧器４，５は、例えば、負荷６の最大需要電力の１／２の電力供給が可能な等容量を有している。変圧器４，５は、例えば、３相変圧器であり、５００ｋＶＡの容量を有し、１次側電圧は６６００Ｖ、２次側電圧は２１０Ｖである。また、例えば、１次側の接触器Ｃ１１，Ｃ２１は、高圧であるため、真空電磁接触器としている。
【００１７】
電力供給装置１は、制御部１０を有する。制御部１０は、電力線３を介して電源２から負荷６に供給される電力を計測する電力計１１からの計測値をデータベース１２に保持する。制御部１０は、インターフェース１３を介して接触器Ｃ１１，Ｃ１２，Ｃ２１，Ｃ２２に接続される。制御部１０は、データベース１２に保持された計測値（実測値）をもとに年間、月間、日間などの予測電力量を求める。特に、制御部１０は、インターネットなどのネットワークＮから取得した気象データＤａ及びデータベース１２に保持された計測値をもとに、当日の予測電力量推移を算出し、この算出した予測電力量推移をもとに、接触器Ｃ１１，Ｃ１２，Ｃ２１，Ｃ２２の開閉を制御する。すなわち、制御部１０は、予測電力量をもとに、変圧器４，５の投入及び解列による変圧器４，５の台数制御を行う。なお、制御部１０やデータベース１２は、エネルギー監視・制御システム（ＢＥＭＳ：Building Energy Management System）として機能するものである。
【００１８】
ここで、図２に示したフローチャートを参照して制御部１０による変圧器台数制御処理手順について説明する。図２に示すように、まず、制御部１０は、１日の予測電力量推移を算出する（ステップＳ１０１）。例えば、図３に示した予測電力量推移線Ｌを算出する。
【００１９】
その後、制御部１０は、予測電力量推移で予測電力量Ｔが変圧器４，５の定格値Ｔ１を超える時間帯があるか否かを判断する（ステップＳ１０２）。予測電力量Ｔが変圧器４，５の定格値Ｔ１を超える時間帯がある場合（ステップＳ１０２，Ｙｅｓ）には、２つの変圧器４，５を用いる並列運転モードに設定する（ステップＳ１０３）。一方、予測電力量Ｔが変圧器４，５の定格値Ｔ１を超える時間帯がない場合（ステップＳ１０２，Ｎｏ）には、１つの変圧器４または変圧器５のみを用いる単独運転モードに設定する（ステップＳ１０４）。
【００２０】
並列運転モードに設定された場合（ステップＳ１０３）、例えば、変圧器４を投入する。この変圧器４の投入は、接触器Ｃ１１，Ｃ１２を閉にするとともに、接触器Ｃ２１，Ｃ２２を開にして変圧器５を解列しておく。
【００２１】
その後、所定区分時間Δｔの予測電力量Ｔを取得する（ステップＳ１０５）。例えば、所定区分時間Δｔが３０分であって、現時点から次の区間の予測電力量Ｔを取得する。その後、予測電力量Ｔが第１所定値Ｔｎを超えるか否かを判断する（ステップＳ１０６）。なお、第１所定値Ｔｎは、変圧器４，５が最大効率となる予測電力量である。
【００２２】
予測電力量Ｔが第１所定値Ｔｎを超えない場合（ステップＳ１０６，Ｎｏ）には、１日が終了したか否かを判断する（ステップＳ１０７）。１日が終了していない場合（ステップＳ１０７，Ｎｏ）には、ステップＳ１０５に移行して１台の変圧器の投入状態を維持する。一方、１日が終了している場合（ステップＳ１０７，Ｙｅｓ）には、ステップＳ１０１に移行して、１日の予測電力量推移の算出処理を行って上述した処理を繰り返す。
【００２３】
一方、予測電力量Ｔが第１所定値Ｔｎを超える場合（ステップＳ１０６，Ｙｅｓ）には、２台目の変圧器を投入する（ステップＳ１１１）。この場合、接触器Ｃ１１，Ｃ１２は閉となっており、開となっている接触器Ｃ２１，Ｃ２２を閉にする。
【００２４】
単独運転モードに設定された場合（ステップＳ１０４）、例えば、変圧器４を投入する。この変圧器４の投入は、接触器Ｃ１１，Ｃ１２を閉にするとともに、接触器Ｃ２１，Ｃ２２を開にして変圧器５を解列しておく。
【００２５】
その後、所定区分時間Δｔの予測電力量Ｔを取得する（ステップＳ１０８）。例えば、所定区分時間Δｔが３０分であって、現時点から次の区間の予測電力量Ｔを取得する。その後、予測電力量Ｔが第２所定値Ｔａを超えるか否かを判断する（ステップＳ１０９）。なお、第２所定値Ｔａは、第１所定値Ｔｎより大きく、定格値Ｔ１から所定マージンΔＴを減算した値である。単独運転モードにおいて第２所定値Ｔａを用いるのは、１日の予測電力量推移から１台の変圧器のみの投入で供給電力量を賄うことができる可能性が大きく、可能な限り、２台目の変圧器を投入しないようにするためである。
【００２６】
予測電力量Ｔが第２所定値Ｔａを超えない場合（ステップＳ１０９，Ｎｏ）には、１日が終了したか否かを判断する（ステップＳ１１０）。１日が終了していない場合（ステップＳ１１０，Ｎｏ）には、ステップＳ１０８に移行して１台の変圧器の投入状態を維持する。一方、１日が終了している場合（ステップＳ１１０，Ｙｅｓ）には、ステップＳ１０１に移行して、１日の予測電力量推移の算出処理を行って上述した処理を繰り返す。
【００２７】
一方、予測電力量Ｔが第２所定値Ｔａを超える場合（ステップＳ１０９，Ｙｅｓ）には、２台目の変圧器を投入する（ステップＳ１１１）。この場合、接触器Ｃ１１，Ｃ１２は閉となっており、開となっている接触器Ｃ２１，Ｃ２２を閉にする。
【００２８】
ステップＳ１１１で、２台目の変圧器を投入した後、さらに次の所定区分時間Δｔの予測電力量Ｔを取得する（ステップＳ１１２）。その後、予測電力量Ｔが第１所定値Ｔｎを超えるか否かを判断する（ステップＳ１１３）。予測電力量Ｔが第１所定値Ｔｎを超える場合（ステップＳ１１３，Ｙｅｓ）には、１日が終了したか否かを判断する（ステップＳ１１５）。１日が終了していない場合（ステップＳ１１５，Ｎｏ）には、ステップＳ１１２に移行して２台の変圧器の投入状態を維持する。一方、１日が終了している場合（ステップＳ１１５，Ｙｅｓ）には、ステップＳ１０１に移行して、１日の予測電力量推移の算出処理を行って上述した処理を繰り返す。
【００２９】
一方、予測電力量Ｔが第１所定値Ｔｎを超えない場合（ステップＳ１１３，Ｎｏ）には、投入されている１台の変圧器を解列する（ステップＳ１１４）。例えば、変圧器５を解列する。変圧器５の解列は、接触器Ｃ２１，Ｃ２２を開にすることである。
【００３０】
その後、さらに次の所定区分時間Δｔの予測電力量Ｔを取得する（ステップＳ１１６）。その後、予測電力量Ｔが第２所定値Ｔａを超えるか否かを判断する（ステップＳ１１７）。予測電力量Ｔが第２所定値Ｔａを超える場合（ステップＳ１１７，Ｙｅｓ）には、ステップＳ１１１に移行して１台の変圧器の投入状態を維持する。一方、予測電力量Ｔが第２所定値Ｔａを超えない場合（ステップＳ１１７，Ｎｏ）には、１日が終了したか否かを判断する（ステップＳ１１８）。１日が終了していない場合（ステップＳ１１８，Ｎｏ）には、ステップＳ１１６に移行して１台の変圧器の投入状態を維持する。一方、１日が終了している場合（ステップＳ１１８，Ｙｅｓ）には、ステップＳ１０１に移行して、１日の予測電力量推移の算出処理を行って上述した処理を繰り返す。
【００３１】
図３は、制御部１０による変圧器台数制御の一例を示す図である。図３では、１日の予測電力量推移が定格値Ｔ１を超える時間帯があるため、並列運転モードに設定される。そして、開始時点ｔ０では、１台の変圧器を投入し、時点ｔ１で第１所定値Ｔｎを超えたため、時点ｔ１以降、２台の変圧器を投入して運転している。現時点ｔａは、第１所定値Ｔｎを超えているため、２台の変圧器が投入されて運転されている。現時点ｔａ以降は運転計画になるが、時点ｔ２で第１所定値Ｔｎ以下となるため、１台の変圧器を解列して１台の変圧器のみによる運転となる。なお、上述したように、１日の予測電力量推移が定格値Ｔ１以下である場合、第１所定値Ｔｎに替えて第２所定値Ｔａが用いられる。
【００３２】
上述した実施の形態１では、変圧器４，５が解列される場合、変圧器４，５には電圧が印加されず、無負荷損（鉄損）が生じないため、変圧器４，５を運転する際の無負荷損を小さくすることができる。
【００３３】
（実施の形態２）
図４は、実施の形態２の電力供給装置１の制御部１０による変圧器台数制御処理手順を示すフローチャートである。本実施の形態２では、変圧器の投入、解列を行う際、変圧器の積算運転時間を考慮して行い、変圧器の寿命を延ばすようにしている。
【００３４】
具体的には、図４に示すように、ステップＳ１０３で並列運転モードに設定された後、及びステップＳ１０４で単独運転モードに設定された後における１台目の変圧器の投入時に、積算運転時間が短い変圧器を選択し（ステップＳ１０５ａ，Ｓ１０８ａ）、この選択した変圧器を１台目の変圧器として投入する。
【００３５】
また、図４に示すように、ステップＳ１１４における変圧器の解列時に、積算運転時間が長い変圧器を選択し（ステップＳ１１４ａ）、この選択した変圧器を解列する。
【００３６】
その他の制御処理は、実施の形態１と同じであり、同一部分には同一符号を付している。
【００３７】
なお、３以上の変圧器が並列設置される場合、ステップＳ１０５ａ，Ｓ１０８ａでは、積算運転時間が最も短い変圧器が選択され、ステップＳ１１４ａでは、積算運転時間が最も長い変圧器が選択される。
【００３８】
（実施の形態３）
図５は、実施の形態３の電力供給装置１の制御部１０による変圧器台数制御処理手順を示すフローチャートである。本実施の形態３では、変圧器の投入回数が所定回数以上となった場合に、変圧器台数制御処理を停止し、現在の変圧器投入状態を維持するようにし、投入、解列による接触器Ｃ１１，Ｃ１２，Ｃ２１，Ｃ２２の劣化を防止するようにしている。
【００３９】
具体的には、図５に示すように、ステップＳ１１１における２台目の変圧器の投入後に、１日の投入回数が所定回、例えば１回以上となったか否かを判断する（ステップＳ１１２ｂ）。１日の投入回数が所定回以上でない場合（ステップＳ１１２ｂ，Ｎｏ）には、ステップＳ１１２に移行する。一方、１日の投入回数が所定回以上となった場合（ステップＳ１１２ｂ，Ｙｅｓ）には、ステップＳ１１２ａに移行し、１日が終了したか否かを判断する。１日が終了していない場合（ステップＳ１１２ａ，Ｎｏ）には、ステップＳ１１２ｂに移行して現在の変圧器の投入状態を維持する。一方、１日が終了している場合（ステップＳ１１２ａ，Ｙｅｓ）には、ステップＳ１０１に移行して、１日の予測電力量推移の算出処理を行って上述した処理を繰り返す。
【００４０】
その他の制御処理は、実施の形態１と同じであり、同一部分には同一符号を付している。
【００４１】
（実施の形態４）
図６は、本発明の実施の形態４である電力供給装置１ａの構成を示すブロック図である。本実施の形態４では、実施の形態１〜３における接触器Ｃ１１，Ｃ１２に替えて、変圧器４の１次側にのみヒューズ付きの開閉器Ｃ３１を接続している。開閉器Ｃ３１は、例えば、ＬＢＳ（Load Break Switches：負荷開閉器）である。その他の構成は、実施の形態１〜３と同じである。この開閉器Ｃ３１は常時閉状態で投入状態となるため、変圧器４の無負荷損をなくすことはできないが、変圧器５は接触器Ｃ２１，Ｃ２２の開閉による投入、解列がなされ、変圧器５の解列時に無負荷損は生じない。
【００４２】
なお、実施の形態４では、変圧器５の投入、解列の制御のみが実施される。ただし、変圧器５が複数存在する場合には、上述した実施の形態１〜３の制御処理が適用される。
【００４３】
また、上述した実施の形態１〜３では、並列接続される変圧器として２つの変圧器４，５を例に挙げて説明したが、３つ以上の変圧器の台数制御も同様に適用することができる。この場合、第１所定値Ｔｎ及び第２所定値Ｔａ等は、投入されている変圧器台数に対応して複数設定されることになる。ここで、変圧器４（第１の変圧器）と変圧器５（第２の変圧器）とは、それぞれ１次側には同じ機能の接触器Ｃ１１，Ｃ２１が接続され、それぞれ２次側には同じ機能の接触器Ｃ１２，Ｃ２２が接続されているため、第１の変圧器と第２の変圧器とは等価なものである。したがって、３つ以上の変圧器が並列接続される場合、変圧器の投入時に積算運転時間が短い変圧器を選択して投入し、変圧器の解列時に積算運転時間が長い変圧器を選択して解列することになる。
【００４４】
さらに、実施の形態４では、開閉器Ｃ３１のみが接続される変圧器４（第１の変圧器）と接触器Ｃ２１，Ｃ２２が接続される変圧器５（第２の変圧器）との各台数は任意であり、少なくとも接触器Ｃ２１，Ｃ２２が接続される変圧器５が１つ並列接続されていればよい。接触器Ｃ２１，Ｃ２２が接続される変圧器５が複数設置される場合、変圧器５の投入時に積算運転時間が短い変圧器５を選択して投入し、変圧器５の解列時に積算運転時間が長い変圧器５を選択して解列することになる。
【００４５】
また、上述した実施の形態１〜４では、第１所定値Ｔｎと第２所定値Ｔａとを用い、並列運転モードと単独運転モードとで異なる所定値（第１所定値Ｔｎ，第２所定値Ｔａ）を用いたが、同一の所定値を用いて制御してもよい。例えば、第２所定値Ｔａを第１所定値Ｔｎにして制御してもよい。また、所定値は、変圧器投入時には大きい所定値を設定し、変圧器解列時には小さい所定値を設定するヒステリシス制御を行うようにしてもよい。
【００４６】
なお、上述した実施の形態１〜４内の各要素は、適宜組み合わせが可能である。
【符号の説明】
【００４７】
１，１ａ  電力供給装置
２  電源
３  電力線
４，５  変圧器
６  負荷
１０  制御部
１１  電力計
１２  データベース
１３  インターフェース
Ｃ１１，Ｃ１２，Ｃ２１，Ｃ２２  接触器
Ｃ３１  開閉器
Ｄａ  気象データ
Ｌ  予測電力量推移線
Ｎ  ネットワーク
Ｔ  予測電力量
Ｔ１  定格値
Ｔａ  第２所定値
Ｔｎ  第１所定値
Δｔ  所定区分時間
【図１】
2018170816.tif 000003
【図２】
2018170816.tif 000004
【図３】
2018170816.tif 000005
【図４】
2018170816.tif 000006
【図５】
2018170816.tif 000007
【図６】
2018170816.tif 000008